(57)【要約】    【課題】      ＩＰ電話装置のＩＰアドレスを変更する際に、ＩＰ電話装置から呼接続制御装置に登録された現在のＩＰアドレスの削除要求を行い、削除完了後に、ＩＰ電話装置から呼接続制御装置に新しいＩＰアドレスの登録要求を行う手順を実現すること。    【解決手段】  ＩＰ電話１０１のＣＰＵ２０１は、自装置のＩＰアドレスを変更する際に、現在のＩＰアドレスの削除要求をＣＡ１０３に送信する削除要求送信処理と、その削除完了応答をＣＡ１０３から受信する削除応答受信処理と、削除応答受信処理後にＩＰアドレスをＩＰアドレス管理サーバ１０２から取得する取得処理と、取得したＩＰアドレスの登録要求をＣＡ１０３に送信する登録要求送信処理と、その登録完了応答をＣＡ１０３から受信する登録応答受信処理と、登録応答受信後に取得したＩＰアドレスにより不揮発性メモリ２０６のＩＰアドレスを変更する変更処理と、を制御する機能を有する。  【選択図】      図２
2006086898.tif 000002
【特許請求の範囲】
【請求項１】
ＩＰアドレスを管理する管理装置と、ＩＰ電話装置の呼接続を制御する呼接続制御装置とＩＰネットワークを介して接続されるＩＰ電話装置であって、
前記管理装置から付与されるＩＰアドレスを記憶する記憶手段と、
前記記憶手段に記憶したＩＰアドレスを変更する際に、現在のＩＰアドレスの削除要求を前記呼接続制御装置に送信する削除要求送信手段と、
前記呼接続制御装置から削除応答を受信する削除応答受信手段と、
前記削除応答受信後に前記管理装置からＩＰアドレスを取得する取得手段と、
前記取得手段により取得したＩＰアドレスと当該ＩＰアドレスの登録要求を前記呼接続制御装置に送信する登録要求送信手段と、
前記呼接続制御装置から登録応答を受信する登録応答受信手段と、
前記登録応答受信後に、前記取得手段により取得したＩＰアドレスにより前記記憶手段のＩＰアドレスを変更する制御手段と、
を具備することを特徴とするＩＰ電話装置。
【請求項２】
前記管理装置から付与されるＩＰアドレスの変更を検出する検出手段を具備し、
前記削除要求送信手段は、前記検出手段によりＩＰアドレスの変更が検出された時、現在のＩＰアドレスの削除要求を前記呼接続制御装置に送信することを特徴とする請求項１記載のＩＰ電話装置。
【請求項３】
前記削除応答受信後に当該削除応答を前記記憶手段に記憶する削除記憶手段を具備し、
前記制御手段は、自装置の電源遮断後の再投入時に前記記憶手段における前記削除応答の記憶の有無に応じて、前記削除要求送信手段による削除要求の送信を制御することを特徴とする請求項１記載のＩＰ電話装置。
【請求項４】
ＩＰ電話装置の呼接続を制御する呼接続制御装置であって、
前記ＩＰ電話装置と対応付けてＩＰアドレスを記憶する記憶手段と、
前記ＩＰ電話装置から送信されるＩＰアドレスの削除要求を受信する削除要求受信手段と、
前記削除要求受信手段により受信した削除要求に基づいて前記記憶手段に記憶された前記ＩＰ電話装置のＩＰアドレスを削除する削除手段と、
前記ＩＰアドレスの削除後に、削除応答を前記ＩＰ電話装置に送信する削除応答送信手段と、
前記削除応答送信後に前記ＩＰ電話装置から送信されるＩＰアドレスと当該ＩＰアドレスの登録要求を受信する登録要求受信手段と、
前記登録要求受信手段により受信したＩＰアドレスと登録要求に基づいて前記記憶手段に当該ＩＰアドレスを前記ＩＰ電話装置に対応付けて登録する登録手段と、
前記ＩＰアドレスの登録後に登録応答を前記ＩＰ電話装置に送信する登録応答送信手段と、
を具備することを特徴とする呼接続制御装置。
【請求項５】
ＩＰネットワークに接続されたＩＰ電話装置と、ＩＰ電話装置の呼接続を制御する呼接続制御装置と、ＩＰアドレスを管理する管理装置と、を具備するＩＰ電話システムであって、
前記ＩＰ電話装置は、
前記管理装置から付与されるＩＰアドレスを記憶する記憶手段と、
前記記憶手段に記憶したＩＰアドレスを変更する際に、現在のＩＰアドレスの削除要求を前記呼接続制御装置に送信する削除要求送信手段と、
前記呼接続制御装置から削除応答を受信する削除応答受信手段と、
前記削除応答受信後に前記管理装置からＩＰアドレスを取得する取得手段と、
前記取得手段により取得したＩＰアドレスと当該ＩＰアドレスの登録要求を前記呼接続制御装置に送信する登録要求送信手段と、
前記呼接続制御装置から登録応答を受信する登録応答受信手段と、
前記登録応答受信後に、前記取得手段により取得したＩＰアドレスにより前記記憶手段のＩＰアドレスを変更する制御手段と、
を具備し、
前記呼接続制御装置は、
前記ＩＰ電話装置と対応付けてＩＰアドレスを記憶する記憶手段と、
前記ＩＰ電話装置から送信されるＩＰアドレスの削除要求を受信する削除要求受信手段と、
前記削除要求受信手段により受信した削除要求に基づいて前記記憶手段に記憶された前記ＩＰ電話装置のＩＰアドレスを削除する削除手段と、
前記ＩＰアドレスの削除後に、削除応答を前記ＩＰ電話装置に送信する削除応答送信手段と、
前記削除応答送信後に前記ＩＰ電話装置から送信されるＩＰアドレスと当該ＩＰアドレスの登録要求を受信する登録要求受信手段と、
前記登録要求受信手段により受信したＩＰアドレスと登録要求に基づいて前記記憶手段に当該ＩＰアドレスを前記ＩＰ電話装置に対応付けて登録する登録手段と、
前記ＩＰアドレスの登録後に登録応答を前記ＩＰ電話装置に送信する登録応答送信手段と、
を具備することを特徴とするＩＰ電話システム。
【発明の詳細な説明】
【技術分野】
【０００１】
本発明は、ＩＰ電話装置、呼接続制御装置及びＩＰ電話システムに関し、特に、ＩＰ電話装置にＩＰアドレスを付与するＩＰ電話装置、呼接続制御装置及びＩＰ電話システムに関する。
【背景技術】
【０００２】
従来、特許文献１に記載されたマルチポイント着信可能なゲートキーパでは、ＬＡＮに接続された複数のＩＰ電話装置のＩＰアドレスをエイリアスアドレスと対応付けて管理し、エイリアスアドレスに基づいて複数のＩＰ電話装置をグループ分けして登録する。そして、ゲートキーパは、着信から得たＩＰアドレスを用いてエイリアスアドレスを認識し、このエイリアスアドレスに基づいて着信ＩＰ電話装置が属するグループに対するマルチポイント着呼を、Ｈ．３２３プロトコルにより実現している。
【特許文献１】特開２００２−３５９６５２号公報
【発明の開示】
【発明が解決しようとする課題】
【０００３】
しかしながら、上記従来のマルチポイント着信可能なゲートキーパでは、Ｈ．３２３プロトコルにより複数のＩＰ電話装置に対するマルチポイント着呼を実現しているが、ＬＡＮに接続された複数のＩＰ電話装置のＩＰアドレスが固定されているものとして処理を進めており、ＩＰ電話装置のＩＰアドレスが動的に変化する環境については考慮されていない。
【０００４】
ＩＰ電話装置のＩＰアドレスが動的に変化する環境としては、例えば、ＰＰＰ（Point to Point Protocol ）サーバやＤＨＣＰ（Dynamic Host Configuration Protocol ）サーバ等が、ダイアルアップ接続してきたＩＰ電話装置にその都度ＩＰアドレスを付与するものがある。このような環境に対して、上記従来のゲートキーパでは対応することができない。
【０００５】
また、ＩＰ電話装置のＩＰアドレスが動的に変化する場合として、例えば、ＩＰ電話装置の再起動時にＩＰ電話装置のＩＰアドレスが変更される場合、起動中のＩＰ電話装置のＩＰアドレスが変更される場合等がある。
【０００６】
前者の場合は、ＩＰ電話装置のＩＰアドレスを呼接続制御装置（以下、ＣＡ（コールエージェント）という）に再登録することになるが、ＣＡには再起動前に同様のＩＰアドレスが登録されていると、ＩＰアドレスが二重登録されて、ＩＰ電話装置に正常に着信できなくなるという問題が発生する。後者の場合は、ＣＡに登録された変更前のＩＰアドレスの登録を変更できず、ＩＰ電話装置に正常に着信できなくなるという問題が発生する。
【０００７】
本発明はかかる点に鑑みてなされたものであり、ＩＰ電話装置のＩＰアドレスを変更する際に、ＩＰ電話装置から呼接続制御装置に登録された現在のＩＰアドレスの削除要求を行い、削除完了後に、ＩＰ電話装置から呼接続制御装置に新しいＩＰアドレスの登録要求を行う手順を実現するＩＰ電話装置、呼接続制御装置及びＩＰ電話システムを提供することを目的とする。
【課題を解決するための手段】
【０００８】
本発明は、ＩＰアドレスを管理する管理装置と、ＩＰ電話装置の呼接続を制御する呼接続制御装置とＩＰネットワークを介して接続されるＩＰ電話装置であって、前記管理装置から付与されるＩＰアドレスを記憶する記憶手段と、前記記憶手段に記憶したＩＰアドレスを変更する際に、現在のＩＰアドレスの削除要求を前記呼接続制御装置に送信する削除要求送信手段と、前記呼接続制御装置から削除応答を受信する削除応答受信手段と、前記削除応答受信後に前記管理装置からＩＰアドレスを取得する取得手段と、前記取得手段により取得したＩＰアドレスと当該ＩＰアドレスの登録要求を前記呼接続制御装置に送信する登録要求送信手段と、前記呼接続制御装置から登録応答を受信する登録応答受信手段と、前記登録応答受信後に、前記取得手段により取得したＩＰアドレスにより前記記憶手段のＩＰアドレスを変更する制御手段と、を具備するようにしたものである。
【発明の効果】
【０００９】
本発明に係るＩＰ電話装置、呼接続制御装置及びＩＰ電話システムよれば、ＩＰ電話装置のＩＰアドレスが動的に変化する環境において、呼接続制御装置へのＩＰアドレスの更新を確実に行うことを可能にするＩＰ電話装置、呼接続制御装置及びＩＰ電話システムを提供することを目的とする。
【発明を実施するための最良の形態】
【００１０】
本発明の第１の態様に係るＩＰ電話装置は、ＩＰアドレスを管理する管理装置と、ＩＰ電話装置の呼接続を制御する呼接続制御装置とＩＰネットワークを介して接続されるＩＰ電話装置であって、前記管理装置から付与されるＩＰアドレスを記憶する記憶手段と、前記記憶手段に記憶したＩＰアドレスを変更する際に、現在のＩＰアドレスの削除要求を前記呼接続制御装置に送信する削除要求送信手段と、前記呼接続制御装置から削除応答を受信する削除応答受信手段と、前記削除応答受信後に前記管理装置からＩＰアドレスを取得する取得手段と、前記取得手段により取得したＩＰアドレスと当該ＩＰアドレスの登録要求を前記呼接続制御装置に送信する登録要求送信手段と、前記呼接続制御装置から登録応答を受信する登録応答受信手段と、前記登録応答受信後に、前記取得手段により取得したＩＰアドレスにより前記記憶手段のＩＰアドレスを変更する制御手段と、を具備する構成を採る。
【００１１】
この構成によれば、ＩＰ電話装置が再起動等によりＩＰアドレスが変更される際に、呼接続制御装置に対するＩＰアドレスの登録変更を自動的に行うことができ、ＩＰ電話装置のＩＰアドレスの登録変更に合わせて呼接続制御装置の登録内容を適宜変更することができる。その結果、ＩＰ電話装置のＩＰアドレスが呼接続制御装置に二重登録されて、ＩＰ電話装置に正常に着信できなくなるといった事態を防止することができ、ＩＰ電話システムの信頼性を向上することができる。
【００１２】
本発明の第２の態様は、第１の態様に係るＩＰ電話装置において、前記管理装置から付与されるＩＰアドレスの変更を検出する検出手段を具備し、前記削除要求送信手段は、前記検出手段によりＩＰアドレスの変更が検出された時、現在のＩＰアドレスの削除要求を前記呼接続制御装置に送信する構成を採る。
【００１３】
この構成によれば、ＩＰ電話装置が起動中に管理装置によりＩＰアドレスが変更されたことを検出した際に、呼接続制御装置に対するＩＰアドレスの登録変更を自動的に行うことができ、ＩＰ電話装置のＩＰアドレスの登録変更に合わせて呼接続制御装置の登録内容を適宜変更することができる。
【００１４】
本発明の第３の態様は、第１の態様に係るＩＰ電話装置において、前記削除応答受信後に当該削除応答を前記記憶手段に記憶する削除記憶手段を具備し、前記制御手段は、自装置の電源遮断後の再投入時に前記記憶手段における前記削除応答の記憶の有無に応じて、前記削除要求送信手段による削除要求の送信を制御する構成を採る。
【００１５】
この構成によれば、ＩＰ電話装置が電源断後に電源が再投入されてＩＰアドレスが変更される時、再起動前のＩＰアドレスが呼接続制御装置から削除されたか否かを確認して、変更されたＩＰアドレスの登録処理を実行することができる。その結果、呼接続制御装置にＩＰアドレスが二重登録されて、ＩＰ電話装置に正常に着信できなくなるという問題を防止することができる。
【００１６】
本発明の第４の態様に係る呼接続制御装置は、ＩＰ電話装置の呼接続を制御する呼接続制御装置であって、前記ＩＰ電話装置と対応付けてＩＰアドレスを記憶する記憶手段と、前記ＩＰ電話装置から送信されるＩＰアドレスの削除要求を受信する削除要求受信手段と、前記削除要求受信手段により受信した削除要求に基づいて前記記憶手段に記憶された前記ＩＰ電話装置のＩＰアドレスを削除する削除手段と、前記ＩＰアドレスの削除後に、削除応答を前記ＩＰ電話装置に送信する削除応答送信手段と、前記削除応答送信後に前記ＩＰ電話装置から送信されるＩＰアドレスと当該ＩＰアドレスの登録要求を受信する登録要求受信手段と、前記登録要求受信手段により受信したＩＰアドレスと登録要求に基づいて前記記憶手段に当該ＩＰアドレスを前記ＩＰ電話装置に対応付けて登録する登録手段と、前記ＩＰアドレスの登録後に登録応答を前記ＩＰ電話装置に送信する登録応答送信手段と、を具備する構成を採る。
【００１７】
この構成によれば、ＩＰ電話装置が再起動等によりＩＰアドレスが変更される際に、呼接続制御装置に対するＩＰアドレスの登録変更を自動的に行うことができ、ＩＰ電話装置のＩＰアドレスの登録変更に合わせて呼接続制御装置の登録内容を適宜変更することができる。その結果、ＩＰ電話装置のＩＰアドレスが呼接続制御装置に二重登録されて、ＩＰ電話装置に正常に着信できなくなるといった事態を防止することができ、ＩＰ電話システムの信頼性を向上することができる。
【００１８】
本発明の第５の態様に係るＩＰ電話システムは、ＩＰネットワークに接続されたＩＰ電話装置と、ＩＰ電話装置の呼接続を制御する呼接続制御装置と、ＩＰアドレスを管理する管理装置と、を具備するＩＰ電話システムであって、前記ＩＰ電話装置は、前記管理装置から付与されるＩＰアドレスを記憶する記憶手段と、前記記憶手段に記憶したＩＰアドレスを変更する際に、現在のＩＰアドレスの削除要求を前記呼接続制御装置に送信する削除要求送信手段と、前記呼接続制御装置から削除応答を受信する削除応答受信手段と、前記削除応答受信後に前記管理装置からＩＰアドレスを取得する取得手段と、前記取得手段により取得したＩＰアドレスと当該ＩＰアドレスの登録要求を前記呼接続制御装置に送信する登録要求送信手段と、前記呼接続制御装置から登録応答を受信する登録応答受信手段と、前記登録応答受信後に、前記取得手段により取得したＩＰアドレスにより前記記憶手段のＩＰアドレスを変更する制御手段と、を具備し、前記呼接続制御装置は、前記ＩＰ電話装置と対応付けてＩＰアドレスを記憶する記憶手段と、前記ＩＰ電話装置から送信されるＩＰアドレスの削除要求を受信する削除要求受信手段と、前記削除要求受信手段により受信した削除要求に基づいて前記記憶手段に記憶された前記ＩＰ電話装置のＩＰアドレスを削除する削除手段と、前記ＩＰアドレスの削除後に、削除応答を前記ＩＰ電話装置に送信する削除応答送信手段と、前記削除応答送信後に前記ＩＰ電話装置から送信されるＩＰアドレスと当該ＩＰアドレスの登録要求を受信する登録要求受信手段と、前記登録要求受信手段により受信したＩＰアドレスと登録要求に基づいて前記記憶手段に当該ＩＰアドレスを前記ＩＰ電話装置に対応付けて登録する登録手段と、前記ＩＰアドレスの登録後に登録応答を前記ＩＰ電話装置に送信する登録応答送信手段と、を具備する構成を採る。
【００１９】
この構成によれば、ＩＰ電話装置が再起動等によりＩＰアドレスが変更される際に、呼接続制御装置に対するＩＰアドレスの登録変更を自動的に行うことができ、ＩＰ電話装置のＩＰアドレスの登録変更に合わせて呼接続制御装置の登録内容を適宜変更することができる。その結果、ＩＰ電話装置のＩＰアドレスが呼接続制御装置に二重登録されて、ＩＰ電話装置に正常に着信できなくなるといった事態を防止することができ、ＩＰ電話システムの信頼性を向上することができる。
【００２０】
（実施の形態１）
以下、本発明の実施の形態１について図面を参照して詳細に説明する。
【００２１】
図１は、本実施の形態１のＩＰ電話システムの全体構成を示す図である。図１において、ＩＰ電話システム１００は、ＩＰ電話装置（以下、ＩＰ電話という）１０１がＬＡＮ（Local Area Network）１０５を介してＩＰアドレス管理サーバ１０２に接続され、ＩＰアドレス管理サーバ１０２とコールエージェント（以下、ＣＡという）１０３がＩＰネットワーク１０４を介して相互に接続されている。なお、同図の構成に限らず複数台のＩＰ電話を接続してＩＰ電話システムを構成してもよい。
【００２２】
ＩＰ電話１０１は、ＬＡＮ１０５及びＩＰアドレス管理サーバ１０２を介して他のＩＰ電話との間で音声通話が可能な機能を有するとともに、ＩＰネットワーク１０４を介してＣＡ１０３に登録されたＩＰアドレスを変更することが可能な機能を有している。なお、ＩＰ電話１０１は、アナログ電話機にＩＰネットワーク用のアダプタを接続したもので構成されてもよい。
【００２３】
ＩＰアドレス管理サーバ１０２は、ＰＰＰｏＥ（Point to Point Protocol over Ethernet（登録商標））サーバとして機能し、ＩＰ電話１０１からのＰＰＰ接続要求に応じてＩＰ電話１０１にＩＰアドレスを付与する機能等を有している。
【００２４】
ＣＡ１０３は、ＩＰネットワーク１０４に接続されたＩＰ電話１０１と他のＩＰ電話との間の呼接続を制御する。ＣＡ１０３は、着信を受けたＩＰアドレス管理サーバ１０２からの呼接続要求に応じて、着呼先のＩＰ電話１０１との間で呼接続制御を実行する。
【００２５】
図２は、本実施の形態のＩＰ電話１０１の構成を示すブロック図である。図２において、ＩＰ電話１０１は、ＣＰＵ２０１、メモリ２０２、ハンドセット２０３、表示装置２０４、ネットワーク・インターフェース（以下、ネットワークＩ／Ｆという）２０５及び不揮発性メモリ２０６により主に構成されている。
【００２６】
ＣＰＵ（Central Processing Unit ）２０１は、メモリ２０２に記憶された音声通話制御プログラムに基づいてＩＰネットワーク１０４を介して他のＩＰ電話と音声通話を行う際に必要となる全ての動作を制御する。従って、ＣＰＵ２０１は、ＳＩＰ（Session Initiation Protocol ）やＨ．３２３に代表される呼制御プロトコルに従って、宛先端末との間の呼制御を実行する。また、ＣＰＵ２０１は、表示装置２０４やネットワークＩ／Ｆ２０５に必要な指示を与える。
【００２７】
また、ＣＰＵ２０１は、自装置のＩＰアドレスを変更する際に、現在のＩＰアドレスの削除要求をＣＡ１０３に送信する削除要求送信処理と、その削除完了応答をＣＡ１０３から受信する削除応答受信処理と、削除応答受信処理後にＩＰアドレスをＩＰアドレス管理サーバ１０２から取得する取得処理と、取得処理により取得したＩＰアドレスと当該ＩＰアドレスの登録要求をＣＡ１０３に送信する登録要求送信処理と、その登録完了応答をＣＡ１０３から受信する登録応答受信処理と、登録応答受信後に取得処理により取得したＩＰアドレスにより不揮発性メモリ２０６のＩＰアドレスを変更する変更処理と、を制御する機能を有する。なお、ＣＰＵ２０１は、制御手段として機能する。
【００２８】
メモリ２０２は、ＣＰＵ２０１が実行する音声通話制御プログラム等を記憶するＲＯＭ（Read Only Memory）としての機能と、ＣＰＵ２０１がプログラムを実行する際のワークメモリとして利用されるＲＡＭ（Random Access Memory）としての機能を有する。
【００２９】
ハンドセット２０３は、ユーザによるオフフック操作又はオンフック操作に応じてオフフック信号又はオンフック信号をＣＰＵ２０１に出力する。また、ハンドセット２０３は、マイクとスピーカを備え、宛先端末との間の通話開始時にユーザの送話音声をマイクにより送話音声信号に変換してＣＰＵ２０１に出力するとともに、ＣＰＵ２０１から入力される受話音声信号をスピーカにより受話音声として出力する。
【００３０】
表示装置２０４は、液晶パネル等により構成され、ＩＰ電話１０１の現在のステータスを表示するとともに、ＣＰＵ２０１から入力された電話番号等を表示する。
【００３１】
ネットワークＩ／Ｆ２０５は、ＩＰ電話１０１が接続されるＬＡＮ１０５とのインターフェースである。また、ネットワークＩ／Ｆ２０５は、ＣＰＵ２０１の制御により上記削除送信処理、削除応答受信処理、登録要求送信処理及び登録応答受信処理を実行する。なお、ネットワークＩ／Ｆ２０５は、削除要求送信手段、削除応答受信手段、登録要求送信手段及び登録応答受信手段として機能する。
【００３２】
不揮発性メモリ２０６は、ＣＡ１０３に登録されたＩＰ電話１０１のＩＰアドレスを記憶し、記憶手段として機能する。
【００３３】
図３は、本実施の形態１のＣＡ１０３の構成を示すブロック図である。図３において、ＣＡ１０３は、ＣＰＵ３０１、メモリ３０２、不揮発性メモリ３０３、入出力装置３０４及びネットワークＩ／Ｆ３０５により主に構成されている。
【００３４】
ＣＰＵ３０１は、メモリ３０２に記憶された制御プログラムに基づいてＣＡ１０３全体を制御する。また、ＣＰＵ３０１は、ＩＰ電話１０１から削除要求を受信する削除要求受信処理と、その削除要求により不揮発性メモリ３０３に登録されたＩＰ電話１０１のＩＰアドレスを削除する削除処理と、削除完了応答をＩＰ電話１０１に返送する削除応答送信処理と、削除応答送信後にＩＰ電話１０１から送信されるＩＰアドレスと当該ＩＰアドレスの登録要求を受信する削除応答送信処理と、受信したＩＰアドレスと登録要求に基づいて不揮発性メモリ３０３に当該ＩＰアドレスをＩＰ電話１０１に対応付けて登録する登録処理と、ＩＰアドレスの登録後に登録応答をＩＰ電話１０１に送信する登録応答送信処理と、を制御する機能を有する。なお、ＣＰＵ３０１は、削除手段及び登録手段として機能する。
【００３５】
メモリ３０２は、ＣＰＵ３０１が実行する制御プログラム等を記憶するＲＯＭとしての機能と、ＣＰＵ３０１がプログラムを実行する際のワークメモリとして利用されるＲＡＭとしての機能を有する。
【００３６】
不揮発性メモリ３０３は、ＩＰ電話１０１のＩＰアドレスを記憶し、記憶手段として機能する。
【００３７】
入出力装置３０４は、ＣＡ１０３をメンテナンスする際に使用するキーボード等の入力デバイスと、メンテナンス情報を表示する表示装置等の出力デバイスとから構成される。ネットワークＩ／Ｆ３０５は、ＣＡ１０３が接続されるＩＰネットワーク１０４とのインターフェースである。また、ネットワークＩ／Ｆ３０５は、ＣＰＵ３０１の制御により上記削除要求受信処理、削除応答送信処理、削除応答送信処理及び登録応答送信処理を実行する。なお、ネットワークＩ／Ｆ３０５は、削除要求受信手段、削除応答送信手段、削除応答送信手段及び登録応答送信手段として機能する。
【００３８】
次に、図１のＩＰ電話システム１００において、ＩＰ電話１０１が再起動される際に、ＩＰアドレス管理サーバ１０２とＣＡ１０３との間でＩＰアドレスの登録を変更する動作について図４に示すシーケンス図を参照して説明する。
【００３９】
なお、図４の動作を説明する前提として、ＣＡ１０３の不揮発性メモリ３０３には、ＩＰ電話１０１のＩＰアドレス「１．１．１．１」が登録されているものとする。
【００４０】
ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをネットワークＩ／Ｆ２０５からＣＡ１０３に送出する（ステップＳ４０１）。ＣＡ１０３内のＣＰＵ３０１は、ネットワークＩ／Ｆ３０５を介してＩＰ電話１０１からＲｅｇｉｓｔｅｒ（削除要求）メッセージを受け付けると、不揮発性メモリ３０３に登録されているＩＰ電話１０１のＩＰアドレスを削除し、２００ＯＫ（削除完了応答）メッセージをネットワークＩ／Ｆ３０５からＩＰ電話１０１に返送する（ステップＳ４０２）。
【００４１】
次に、ＩＰ電話１０１において、ユーザによりいったん電源が遮断されて再度電源が投入される再起動操作が行われると、ＣＰＵ２０１は再起動されたことを認識し、ＰＰＰ切断要求メッセージをＩＰアドレス管理サーバ１０２に送出する（ステップＳ４０３）。ＩＰアドレス管理サーバ１０２は、ＩＰ電話１０１からＰＰＰ切断要求メッセージを受け付けると、ＰＰＰ切断完了応答メッセージをＩＰ電話１０１に返送し（ステップＳ４０４）、ＩＰ電話１０１との間の接続を切断する。
【００４２】
次に、ＣＰＵ２０１は、ＩＰアドレス管理サーバ１０２に再度接続するため、ＰＰＰ接続要求メッセージをＩＰアドレス管理サーバ１０２に送出する（ステップＳ４０５）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ４０６）、ＩＰ電話１０１との間の接続を完了する。
【００４３】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得し、そのＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ４０７）。
【００４４】
ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ４０８）。ＩＰ電話１０１は、ＣＡ１０３から２００ＯＫ（登録完了応答）メッセージを受け付けると、登録要求したＩＰアドレス「２．２．２．２」を不揮発性メモリ２０６に記憶する。
【００４５】
次に、図４に示したＩＰ電話１０１、ＩＰアドレス管理サーバ１０２及びＣＡ１０３の各動作について、図５に示すフローチャートを参照して説明する。
【００４６】
ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをネットワークＩ／Ｆ２０５からＣＡ１０３に送出する（ステップＳ５０１）。ＣＡ１０３内のＣＰＵ３０１は、ネットワークＩ／Ｆ３０５を介してＩＰ電話１０１からＲｅｇｉｓｔｅｒ（削除要求）メッセージを受け付けると、不揮発性メモリ３０３に登録されているＩＰ電話１０１のＩＰアドレス「１．１．１．１」を削除し、２００ＯＫ（削除完了応答）メッセージをネットワークＩ／Ｆ３０５からＩＰ電話１０１に返送する（ステップＳ５０２）。
【００４７】
次に、ＩＰ電話１０１において、ユーザにより再起動操作が行われると（ステップＳ５０３）、ＣＰＵ２０１は再起動されたことを認識し、ＰＰＰ切断要求メッセージをＩＰアドレス管理サーバ１０２に送出する（ステップＳ５０４）。ＩＰアドレス管理サーバ１０２は、ＩＰ電話１０１からＰＰＰ切断要求メッセージを受け付けると、ＰＰＰ切断完了応答メッセージをＩＰ電話１０１に返送し（ステップＳ５０５）、ＩＰ電話１０１との間の接続を切断する。
【００４８】
次に、ＣＰＵ２０１は、ＩＰアドレス管理サーバ１０２に再度接続するため、ＰＰＰ接続要求メッセージをＩＰアドレス管理サーバ１０２に送出する（ステップＳ５０６）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ５０７）、ＩＰ電話１０１との間の接続を完了する。
【００４９】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得し（ステップＳ５０８）、そのＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ５０９）。
【００５０】
ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ５１０）。ＩＰ電話１０１は、ＣＡ１０３から２００ＯＫ（登録完了応答）メッセージを受け付けると、登録要求したＩＰアドレス「２．２．２．２」を不揮発性メモリ２０６に記憶する。
【００５１】
以上のように、本実施の形態１のＩＰ電話システム１００では、ＩＰ電話１０１が、再起動前に、現在のＩＰアドレスの削除要求をＣＡ１０３に送信する削除要求送信処理と、その削除完了応答をＣＡ１０３から受信する削除応答受信処理を実行し、再起動後に、削除応答受信処理後にＩＰアドレスをＩＰアドレス管理サーバ１０２から取得する取得処理と、取得処理により取得したＩＰアドレスと当該ＩＰアドレスの登録要求をＣＡ１０３に送信する登録要求送信処理と、その登録完了応答をＣＡ１０３から受信する登録応答受信処理と、登録応答受信後に取得処理により取得したＩＰアドレスにより不揮発性メモリ２０６のＩＰアドレスを変更する変更処理と、を実行する。
【００５２】
また、ＣＡ１０３が、ＩＰ電話１０１から削除要求を受信する削除要求受信処理と、その削除要求により不揮発性メモリ３０３に登録されたＩＰ電話１０１のＩＰアドレスを削除する削除処理と、削除完了応答をＩＰ電話１０１に返送する削除応答送信処理と、削除応答送信後にＩＰ電話１０１から送信されるＩＰアドレスと当該ＩＰアドレスの登録要求を受信する削除応答送信処理と、受信したＩＰアドレスと登録要求に基づいて不揮発性メモリ３０３に当該ＩＰアドレスをＩＰ電話１０１に対応付けて登録する登録処理と、ＩＰアドレスの登録後に登録応答をＩＰ電話１０１に送信する登録応答送信処理と、を実行する。
【００５３】
したがって、ＩＰ電話１０１が再起動によりＩＰアドレスが変更される際に、ＣＡ１０３に対するＩＰアドレスの登録変更を自動的に行うことができ、ＩＰ電話１０１のＩＰアドレスの登録変更に合わせてＣＡ１０３の登録内容を適宜変更することができる。その結果、ＩＰ電話１０１のＩＰアドレスがＣＡ１０３に二重登録されて、ＩＰ電話１０１に正常に着信できなくなるといった事態を防止することができ、ＩＰ電話システム１００の信頼性を向上することができる。
【００５４】
（実施の形態２）
本実施の形態２は、ＩＰ電話の起動中にＩＰアドレス管理サーバによりＩＰ電話のＩＰアドレスが変更された場合に、ＩＰ電話、ＩＰアドレス管理サーバ及びＣＡとの間でＩＰアドレスの登録を変更可能とするＩＰ電話システムについて説明する。
【００５５】
なお、本実施の形態２のＩＰ電話システム１００、ＩＰ電話１０１、ＩＰアドレス管理サーバ１０２及びＣＡ１０３の各構成は、実施の形態１の図１〜図３に示したものと同一であるため、その図示及び構成説明は省略する。
【００５６】
但し、ＩＰ電話１０１内のＣＰＵ２０１は、上記実施の形態１において説明した機能に加えて、ＩＰアドレス管理サーバ１０２から付与されるＩＰアドレスの変更を検出する検出処理と、ＩＰアドレスの変更が検出された時、現在のＩＰアドレスの削除要求をＣＡ１０３に送信する送信処理と、を制御する機能を有する。なお、ＣＰＵ２０１は、検出手段として機能する。
【００５７】
次に、本実施の形態２のＩＰ電話システム１００において、ＩＰ電話１０１がＩＰアドレス管理サーバ１０２から付与されるＩＰアドレスの変更を検出して、ＩＰアドレス管理サーバ１０２とＣＡ１０３との間でＩＰアドレスの登録を変更する動作について図６に示すシーケンス図を参照して説明する。
【００５８】
なお、図６の動作を説明する前提として、ＣＡ１０３の不揮発性メモリ３０３には、ＩＰ電話１０１のＩＰアドレスが登録されていないものとする。
【００５９】
ＩＰ電話１０１内のＣＰＵ２０１は、ＩＰアドレス管理サーバ１０２に接続するため、ＰＰＰ接続要求メッセージをＩＰアドレス管理サーバ１０２に送出する（ステップＳ６０１）。ＩＰアドレス管理サーバ１０２は、ＩＰ電話１０１からＰＰＰ接続要求メッセージを受け付けると、ＩＰ電話１０１に付与するＩＰアドレス「１．１．１．１」を決定し、このＩＰアドレス「１．１．１．１」を含むＰＰＰ接続完了応答メッセージをＩＰ電話１０１に返送し（ステップＳ６０２）、ＩＰ電話１０１との間の接続を完了する。
【００６０】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「１．１．１．１」を取得し、そのＩＰアドレス「１．１．１．１」をＣＡ１０３に登録するため、そのＩＰアドレス「１．１．１．１」を含むＲｅｇｉｓｔｅｒ（登録要求）メッセージをＣＡ１０３に送出する（ステップＳ６０３）。
【００６１】
ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「１．１．１．１」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ６０４）。ＩＰ電話１０１内のＣＰＵ２０１は、ＣＡ１０３から２００ＯＫ（登録完了応答）メッセージを受け付けると、登録要求したＩＰアドレス「１．１．１．１」を不揮発性メモリ２０６に記憶する。
【００６２】
次に、ＩＰアドレス管理サーバ１０２は、ＩＰ電話１０１との接続を切断するため、ＰＰＰ切断メッセージをＩＰ電話１０１に送出して（ステップＳ６０５）、ＩＰ電話１０１との接続を切断する。ＩＰ電話１０１内のＣＰＵ２０１は、ＩＰアドレス管理サーバ１０２からＰＰＰ切断メッセージを受け付けると、ＩＰアドレス管理サーバ１０２との接続が切断されことを認識する。
【００６３】
次に、ＩＰ電話１０１内のＣＰＵ２０１は、再度、ＩＰアドレス管理サーバ１０２と接続するため、ＰＰＰ接続要求メッセージをＩＰアドレス管理サーバ１０２に送出する（ステップＳ６０６）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ６０７）、ＩＰ電話１０１との間の接続を完了する。
【００６４】
なお、ステップＳ６０５〜ステップＳ６０７の各手順は、ＰＰＰｏＥセッションプロトコルのPPPoE Discovery StageとPPP Session Stageの各手順を適用することにより実現可能である。
【００６５】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得し、このＩＰアドレス「２．２．２．２」と不揮発性メモリ２０６に記憶するＩＰアドレス「１．１．１．１」とを比較して、ＩＰアドレスの変更を検出する。
【００６６】
ＩＰアドレスが変更されたことを検出した場合は、ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをＣＡ１０３に送出する（ステップＳ６０８）。ＣＡ１０３内のＣＰＵ３０１は、ＩＰ電話１０１からＲｅｇｉｓｔｅｒ（削除要求）メッセージを受け付けると、不揮発性メモリ３０３に登録されているＩＰ電話１０１のＩＰアドレス「１．１．１．１」を削除し、２００ＯＫ（削除完了応答）メッセージをＩＰ電話１０１に返送する（ステップＳ６０９）。
【００６７】
次に、ＩＰ電話１０１内のＣＰＵ２０１は、変更されたＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ６１０）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ６１１）。ＩＰ電話１０１内のＣＰＵ２０１は、ＣＡ１０３から２００ＯＫ（登録完了応答）メッセージを受け付けると、登録要求したＩＰアドレス「２．２．２．２」を不揮発性メモリ２０６に記憶する。
【００６８】
次に、図６に示したＩＰ電話１０１、ＩＰアドレス管理サーバ１０２及びＣＡ１０３の各動作について、図７、８に示すフローチャートを参照して説明する。
【００６９】
ＩＰ電話１０１内のＣＰＵ２０１は、ＩＰ電話１０１内のＣＰＵ２０１は、ＩＰアドレス管理サーバ１０２に接続するため、ＰＰＰ接続要求メッセージをＩＰアドレス管理サーバ１０２に送出する（ステップＳ７０１）。ＩＰアドレス管理サーバ１０２は、ＩＰ電話１０１からＰＰＰ接続要求メッセージを受け付けると、ＩＰ電話１０１に付与するＩＰアドレス「１．１．１．１」を決定し、このＩＰアドレス「１．１．１．１」を含むＰＰＰ接続完了応答メッセージをＩＰ電話１０１に返送し（ステップＳ７０２）、ＩＰ電話１０１との間の接続を完了する。
【００７０】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「１．１．１．１」を取得し（ステップＳ７０３）、そのＩＰアドレス「１．１．１．１」をＣＡ１０３に登録するため、そのＩＰアドレス「１．１．１．１」を含むＲｅｇｉｓｔｅｒ（登録要求）メッセージをＣＡ１０３に送出する（ステップＳ７０４）。
【００７１】
ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「１．１．１．１」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ７０５）。ＩＰ電話１０１内のＣＰＵ２０１は、ＣＡ１０３から２００ＯＫ（登録完了応答）メッセージを受け付けると、登録要求したＩＰアドレス「１．１．１．１」を不揮発性メモリ２０６に記憶する。
【００７２】
次に、ＩＰアドレス管理サーバ１０２は、ＩＰ電話１０１との接続を切断するため、ＰＰＰ切断メッセージをＩＰ電話１０１に送出して（ステップＳ７０６）、ＩＰ電話１０１との接続を切断する。ＩＰ電話１０１内のＣＰＵ２０１は、ＩＰアドレス管理サーバ１０２からＰＰＰ切断メッセージを受け付けると、ＩＰアドレス管理サーバ１０２との接続が切断されことを認識する。
【００７３】
次に、ＩＰ電話１０１内のＣＰＵ２０１は、再度、ＩＰアドレス管理サーバ１０２と接続するため、ＰＰＰ接続要求メッセージをＩＰアドレス管理サーバ１０２に送出する（ステップＳ７０７）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ７０８）、ＩＰ電話１０１との間の接続を完了する。
【００７４】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得し（ステップＳ７０９）、このＩＰアドレス「２．２．２．２」と不揮発性メモリ２０６に記憶するＩＰアドレス「１．１．１．１」とを比較して、ＩＰアドレスの変更を検出する（ステップＳ７１０）。
【００７５】
ＩＰアドレスが変更されたことを検出した場合は（ステップＳ７１０：ＹＥＳ）、ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをＣＡ１０３に送出する（ステップＳ７１１）。ＣＡ１０３内のＣＰＵ３０１は、ＩＰ電話１０１からＲｅｇｉｓｔｅｒ（削除要求）メッセージを受け付けると、不揮発性メモリ３０３に登録されているＩＰ電話１０１のＩＰアドレス「１．１．１．１」を削除し、２００ＯＫ（削除完了応答）メッセージをＩＰ電話１０１に返送する（ステップＳ７１２）。
【００７６】
次に、ＩＰ電話１０１内のＣＰＵ２０１は、変更されたＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ７１３）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ７１４）。ＩＰ電話１０１内のＣＰＵ２０１は、ＣＡ１０３から２００ＯＫ（登録完了応答）メッセージを受け付けると、登録要求したＩＰアドレス「２．２．２．２」を不揮発性メモリ２０６に記憶する。
【００７７】
また、ステップＳ７１０において、ＩＰアドレスが変更されていないことを検出した場合は（ステップＳ７１０：ＮＯ）、ＩＰ電話１０１内のＣＰＵ２０１は、本処理を終了する。
【００７８】
以上のように、本実施の形態２のＩＰ電話システム１００では、ＩＰ電話１０１が、ＩＰアドレス管理サーバ１０２から付与されるＩＰアドレスの変更を検出する検出処理と、ＩＰアドレスの変更が検出された時、現在のＩＰアドレスの削除要求をＣＡ１０３に送信する送信処理と、を実行する。
【００７９】
したがって、ＩＰ電話１０１がＩＰアドレス管理サーバ１０２から付与されるＩＰアドレスの変更を検出した際に、ＣＡ１０３に対するＩＰアドレスの登録変更を自動的に行うことができ、ＩＰ電話１０１のＩＰアドレスの登録変更に合わせてＣＡ１０３の登録内容を適宜変更することができる。その結果、起動中のＩＰ電話装置のＩＰアドレスが変更されて、ＩＰ電話１０１のＩＰアドレスがＣＡ１０３に二重登録されて、ＩＰ電話１０１に正常に着信できなくなるといった事態を防止することができ、ＩＰ電話システム１００の信頼性を向上することができる。
【００８０】
（実施の形態３）
本実施の形態３は、ＩＰ電話が電源断後に電源が再投入され、ＩＰアドレス管理サーバ１０２から付与されるＩＰアドレスの変更が発生した場合、ＩＰ電話がＣＡのＩＰアドレスの削除情報を記憶し、この削除情報に基づいてＣＡに対するＩＰアドレスの削除要求動作を制御するＩＰ電話システムについて説明する。
【００８１】
なお、本実施の形態３のＩＰ電話システム１００、ＩＰ電話１０１、ＩＰアドレス管理サーバ１０２及びＣＡ１０３の各構成は、実施の形態１の図１〜図３に示したものと同一であるため、その図示及び構成説明は省略する。
【００８２】
但し、ＩＰ電話１０１内のＣＰＵ２０１は、上記実施の形態１において説明した機能に加えて、ＣＡ１０３から受信する削除完了応答メッセージを不揮発性メモリ２０６に記憶する削除記憶処理と、自装置の電源遮断後の再投入時に不揮発性メモリ２０６における削除完了応答メッセージの記憶の有無に応じて、削除要求メッセージのＣＡ１０３への送信を制御する処理と、を実行する。なお、ＣＰＵ２０１は、削除記憶手段として機能する。
【００８３】
次に、本実施の形態３のＩＰ電話システム１００において、ＩＰ電話１０１が電源断後に電源再投入時に、不揮発性メモリ２０６にＣＡ１０３から受信する削除完了応答メッセージを記憶し、この削除完了応答メッセージの記憶の有無に応じて、削除要求メッセージのＣＡ１０３への送信を制御する動作について図９に示すシーケンス図を参照して説明する。
【００８４】
なお、図９の動作を説明する前提として、ＩＰ電話１０１は、ＩＰアドレス管理サーバ１０２から付与されたＩＰアドレス「１．１．１．１」を取得済みで、ＣＡ１０３の不揮発性メモリ３０３には、ＩＰ電話１０１のＩＰアドレス「１．１．１．１」が登録されていないものとする。
【００８５】
ＩＰ電話１０１内のＣＰＵ２０１は、ＩＰアドレス管理サーバ１０２から取得したＩＰアドレス「１．１．１．１」をＣＡ１０３に登録するため、そのＩＰアドレス「１．１．１．１」を含むＲｅｇｉｓｔｅｒ（登録要求）メッセージをＣＡ１０３に送出する（ステップＳ９０１）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「１．１．１．１」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ９０２）。ＩＰ電話１０１内のＣＰＵ２０１は、ＣＡ１０３から２００ＯＫ（登録完了応答）メッセージを受け付けると、登録要求したＩＰアドレス「１．１．１．１」を不揮発性メモリ２０６に記憶する。
【００８６】
次に、ＩＰ電話１０１のユーザによりＩＰ電話１０１の電源が遮断され、（あるいは、ＩＰ電話１０１のコンセントが抜けたり、停電等によりＩＰ電話１０１の電源が遮断され、）続いて、電源が投入されると、ＣＰＵ２０１は、電源投入を認識し、ＩＰアドレス管理サーバ１０２に接続するため、ＰＰＰ接続要求メッセージをＩＰアドレス管理サーバ１０２に送出する（ステップＳ９０３）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ９０４）、ＩＰ電話１０１との間の接続を完了する。
【００８７】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得する。次に、ＩＰ電話１０１内のＣＰＵ２０１は、ＩＰアドレス「１．１．１．１」についての削除完了応答メッセージが不揮発性メモリ２０６に記憶されているか否かにより、ＩＰアドレス「１．１．１．１」の削除要求をＣＡ１０３に送信するか否かを判別する。
【００８８】
不揮発性メモリ２０６にＩＰアドレス「１．１．１．１」についての削除完了応答メッセージが記憶されていない場合、ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをＣＡ１０３に送出する（ステップＳ９０５）。ＣＡ１０３内のＣＰＵ３０１は、ＩＰ電話１０１からＲｅｇｉｓｔｅｒ（削除要求）メッセージを受け付けると、不揮発性メモリ３０３に登録されているＩＰ電話１０１のＩＰアドレス「１．１．１．１」を削除し、２００ＯＫ（削除完了応答）メッセージをＩＰ電話１０１に返送する（ステップＳ９０６）。
【００８９】
次に、ＩＰ電話１０１内のＣＰＵ２０１は、ＣＡ１０３から２００ＯＫ（削除完了応答）メッセージを受け付けると、ＩＰアドレス「１．１．１．１」についての削除完了応答メッセージを不揮発性メモリ２０６に記憶し、取得したＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ９０７）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ９０８）。ＩＰ電話１０１内のＣＰＵ２０１は、ＣＡ１０３から２００ＯＫ（登録完了応答）メッセージを受け付けると、登録要求したＩＰアドレス「２．２．２．２」を不揮発性メモリ２０６に記憶する。
【００９０】
次に、図９に示したＩＰ電話１０１、ＩＰアドレス管理サーバ１０２及びＣＡ１０３の各動作について、図１０、１１に示すフローチャートを参照して説明する。
【００９１】
ＩＰ電話１０１内のＣＰＵ２０１は、ＩＰアドレス管理サーバ１０２からＩＰアドレス「１．１．１．１」を取得すると（ステップＳ１００１）、ＩＰアドレス管理サーバ１０２から取得したＩＰアドレス「１．１．１．１」をＣＡ１０３に登録するため、そのＩＰアドレス「１．１．１．１」を含むＲｅｇｉｓｔｅｒ（登録要求）メッセージをＣＡ１０３に送出する（ステップＳ１００２）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「１．１．１．１」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ１００３）。ＩＰ電話１０１内のＣＰＵ２０１は、ＣＡ１０３から２００ＯＫ（登録完了応答）メッセージを受け付けると、登録要求したＩＰアドレス「１．１．１．１」を不揮発性メモリ２０６に記憶する。
【００９２】
次に、ＩＰ電話１０１のユーザによりＩＰ電話１０１の電源が遮断され（ステップＳ１００４）、続いて、電源が投入されると（ステップＳ１００５）、ＣＰＵ２０１は、電源投入を認識し、ＩＰアドレス管理サーバ１０２に接続するため、ＰＰＰ接続要求メッセージをＩＰアドレス管理サーバ１０２に送出する（ステップＳ１００６）。ＩＰアドレス管理サーバ１０２は、ＩＰ電話１０１からＰＰＰ接続要求メッセージを受け付けると、ＩＰ電話１０１に付与するＩＰアドレス「２．２．２．２」を決定し、このＩＰアドレス「２．２．２．２」を含むＰＰＰ接続完了応答メッセージをＩＰ電話１０１に返送し（ステップＳ１００７）、ＩＰ電話１０１との間の接続を完了する。
【００９３】
次に、ＩＰ電話１０１内のＣＰＵ２０１は、ＩＰアドレス管理サーバ１０２からＰＰＰ接続完了応答メッセージを受け付けると、そのＰＰＰ接続完了応答メッセージからＩＰアドレス「２．２．２．２」を取得する（ステップＳ１００８）。
【００９４】
次に、ＩＰ電話１０１内のＣＰＵ２０１は、ＩＰアドレス「１．１．１．１」についての削除完了応答メッセージが不揮発性メモリ２０６に記憶されているか否かにより、ＩＰアドレス「１．１．１．１」の削除要求をＣＡ１０３に送信するか否かを判別する（ステップＳ１００９）。
【００９５】
不揮発性メモリ２０６にＩＰアドレス「１．１．１．１」についての削除完了応答メッセージが記憶されていない場合（ステップＳ１００９：ＮＯ）、ＩＰ電話１０１内のＣＰＵ２０１は、ＣＡ１０３に登録されているＩＰアドレス「１．１．１．１」を削除するため、Ｒｅｇｉｓｔｅｒ（削除要求）メッセージをＣＡ１０３に送出する（ステップＳ１０１０）。ＣＡ１０３内のＣＰＵ３０１は、ＩＰ電話１０１からＲｅｇｉｓｔｅｒ（削除要求）メッセージを受け付けると、不揮発性メモリ３０３に登録されているＩＰ電話１０１のＩＰアドレス「１．１．１．１」を削除し、２００ＯＫ（削除完了応答）メッセージをＩＰ電話１０１に返送する（ステップＳ１０１１）。
【００９６】
次に、ＩＰ電話１０１内のＣＰＵ２０１は、ＣＡ１０３から２００ＯＫ（削除完了応答）メッセージを受け付けると、ＩＰアドレス「１．１．１．１」についての削除完了応答メッセージを不揮発性メモリ２０６に記憶する（ステップＳ１０１２）。
【００９７】
次に、ＩＰ電話１０１内のＣＰＵ２０１は、取得したＩＰアドレス「２．２．２．２」をＣＡ１０３に登録するため、そのＩＰアドレス「２．２．２．２」を含むＲｅｇｉｓｔｅｒ（登録要求）メッセージをＣＡ１０３に送出する（ステップＳ１０１３）。ＣＡ１０３内のＣＰＵ３０１は、ＩＰ電話１０１からＲｅｇｉｓｔｅｒ（登録要求）メッセージを受け付けると、そのＲｅｇｉｓｔｅｒ（登録要求）メッセージからＩＰアドレス「２．２．２．２」を抽出し、ＩＰ電話１０１に対応付けて不揮発性メモリ３０３に登録する。そして、ＣＡ１０３内のＣＰＵ３０１は、２００ＯＫ（登録完了応答）メッセージをＩＰ電話１０１に返送する（ステップＳ１０１４）。ＩＰ電話１０１内のＣＰＵ２０１は、ＣＡ１０３から２００ＯＫ（登録完了応答）メッセージを受け付けると、登録要求したＩＰアドレス「２．２．２．２」を不揮発性メモリ２０６に記憶する。
【００９８】
また、不揮発性メモリ２０６にＩＰアドレス「１．１．１．１」についての削除完了応答メッセージが記憶されている場合（ステップＳ１００９：ＹＥＳ）、ＩＰ電話１０１内のＣＰＵ２０１は、本処理を終了する。
【００９９】
以上のように、本実施の形態３のＩＰ電話システム１００では、ＩＰ電話１０１が、電源断後に電源が再投入された時、ＣＡ１０３から受信する削除完了応答メッセージを不揮発性メモリ２０６に記憶する削除記憶処理と、自装置の電源遮断後の再投入時に不揮発性メモリ２０６における削除完了応答メッセージの記憶の有無に応じて、削除要求メッセージのＣＡ１０３への送信を制御する処理と、を実行する。
【０１００】
したがって、ＩＰ電話１０１の再起動時にＩＰ電話１０１のＩＰアドレスが変更される場合、ＣＡ１０３から再起動前のＩＰアドレスが削除されたか否かを確認して、変更されたＩＰアドレスを登録する処理を実行することができる。その結果、ＣＡ１０３にＩＰアドレスが二重登録されて、ＩＰ電話１０１に正常に着信できなくなるという問題を防止することができ、ＩＰ電話システムの信頼性を向上することができる。
【実施例】
【０１０１】
ＩＰ電話が再起動されてＩＰアドレスを変更する場合の一実施例として、Ｈ．３２３プロトコルを適用してゲートキーパあるいはＣＡ(以下はゲートキーパとして説明)との間でＩＰアドレスの登録処理及び削除処理を実行する場合の動作について、図１２に示すシーケンス図を参照して説明する。なお、この実施例では、ＩＰ電話１０１とＩＰアドレス管理サーバ１０２の間の処理は省略している。
【０１０２】
なお、ゲートキーパは、ＩＰ電話のＩＰアドレスを登録するためのデータベースを有するものとする。
【０１０３】
ＩＰ電話は、ＩＰアドレス管理サーバ１０２から取得したＩＰアドレス「１．１．１．１」をゲートキーパに登録するため、そのＩＰアドレス「１．１．１．１」を含むＲＲＱ（ゲートキーパ要求，登録要求）メッセージをＣＡ１０３に送出する（ステップＳ１２０１）。ゲートキーパは、ＩＰ電話からＲＲＱ（ゲートキーパ要求，登録要求）メッセージを受け付けると、ＲＲＱ（ゲートキーパ要求，登録要求）メッセージからＩＰアドレス「１．１．１．１」を抽出し、ＩＰ電話に対応付けてデータベースに登録し、ＲＣＦ（ゲートキーパ確認，登録完了応答）メッセージをＩＰ電話に返送する（ステップＳ１２０２）。
【０１０４】
次に、ＩＰ電話は、再起動前に、ゲートキーパに登録されているＩＰアドレス「１．１．１．１」を削除するため、ＵＲＱ（非登録要求，削除要求）メッセージをゲートキーパに送出する（ステップＳ１２０３）。ゲートキーパは、ＩＰ電話からＵＲＱ（非登録確認，削除要求）メッセージを受け付けると、データベースに登録されているＩＰ電話のＩＰアドレス「１．１．１．１」を削除し、ＵＣＦ（非登録確認，削除完了応答）メッセージをＩＰ電話に返送する（ステップＳ１２０４）。
【０１０５】
次に、ＩＰ電話は、ユーザにより再起動され、電源が投入されると、ＩＰアドレス管理サーバ１０２からＩＰアドレス「２．２．２．２」を取得し、このＩＰアドレス「２．２．２．２」をゲートキーパに登録するため、そのＩＰアドレス「２．２．２．２」を含むＲＲＱ（ゲートキーパ要求，登録要求）メッセージをゲートキーパに送出する（ステップＳ１２０５）。ゲートキーパは、ＩＰ電話からＲＲＱ（ゲートキーパ要求，登録要求）メッセージを受け付けると、ＲＲＱ（ゲートキーパ要求，登録要求）メッセージからＩＰアドレス「２．２．２．２」を抽出し、ＩＰ電話１０１に対応付けてデータベースに登録し、ＲＣＦ（ゲートキーパ確認，登録完了応答）メッセージをＩＰ電話に返送する（ステップＳ１２０６）。
【０１０６】
以上のように、ＩＰ電話とゲートキーパの間でＨ．３２３プロトコルを用いてＩＰアドレスの削除処理を実行することにより、ＩＰ電話のＩＰアドレスの登録変更をゲートキーパに対して自動的に実行することができる。
【０１０７】
なお、本実施例では、ゲートキーパを用いた場合を示したが、ＣＡを用いても同様の処理を実現することができる。
【産業上の利用可能性】
【０１０８】
本発明に係るＩＰ電話装置、呼接続制御装置及びＩＰ電話システムによれば、ＩＰ電話装置のＩＰアドレスが動的に変化する環境において、呼接続制御装置へのＩＰアドレスの更新を確実に行うことを可能にするＩＰ電話システムを提供できる点で有用である。
【図面の簡単な説明】
【０１０９】
【図１】本発明を適用した実施の形態１に係るＩＰ電話システムの構成を示す図
【図２】本実施の形態１に係るＩＰ電話の構成を示すブロック図
【図３】本実施の形態１に係るＣＡの構成を示すブロック図
【図４】本実施の形態１に係るＩＰ電話システムにおいて、ＩＰ電話が再起動される際に、ＩＰアドレス管理サーバとＣＡとの間でＩＰアドレスの登録を変更する動作を説明するためのシーケンス図
【図５】図４のシーケンス図におけるＩＰ電話システムの動作を説明するためのフローチャート図
【図６】本発明を適用した実施の形態２に係るＩＰ電話システムにおいて、ＩＰ電話がＩＰアドレス管理サーバから付与されるＩＰアドレスの変更を検出して、ＩＰアドレス管理サーバとＣＡとの間でＩＰアドレスの登録を変更する動作を説明するためのシーケンス図
【図７】図６のシーケンス図におけるＩＰ電話システムの動作を説明するためのフローチャート図
【図８】図７に続く動作を説明するためのフローチャート図
【図９】本発明を適用した実施の形態３に係るＩＰ電話システムにおいて、ＩＰ電話が電源断後に電源再投入時に、不揮発性メモリにＣＡから受信する削除完了応答メッセージを記憶し、この削除完了応答メッセージの記憶の有無に応じて、削除要求メッセージのＣＡへの送信を制御する動作を説明するためのシーケンス図
【図１０】図９のシーケンス図におけるＩＰ電話システムの動作を説明するためのフローチャート図
【図１１】図１０に続く動作を説明するためのフローチャート図
【図１２】本発明を適用した実施例に係るＩＰ電話とゲートキーパの間でＨ．３２３プロトコルを適用してＩＰアドレスの登録処理及び削除処理を実行する動作を説明するためのシーケンス図
【符号の説明】
【０１１０】
１００  ＩＰ電話システム
１０１  ＩＰ電話
１０２  ＩＰアドレス管理サーバ
１０３  ＣＡ
１０４  ＩＰネットワーク
２０１，３０１  ＣＰＵ
２０２，３０２  メモリ
２０３  ハンドセット
２０４  表示装置
２０５，３０５  ネットワークＩ／Ｆ
２０６，３０３  不揮発性メモリ
３０４  入出力装置
【図１】
2006086898.tif 000003
【図２】
2006086898.tif 000004
【図３】
2006086898.tif 000005
【図４】
2006086898.tif 000006
【図５】
2006086898.tif 000007
【図６】
2006086898.tif 000008
【図７】
2006086898.tif 000009
【図８】
2006086898.tif 000010
【図９】
2006086898.tif 000011
【図１０】
2006086898.tif 000012
【図１１】
2006086898.tif 000013
【図１２】
2006086898.tif 000014